(57)【要約】【課題】穿孔手段に搬送される用紙の用紙曲がりを修正して穿孔処理をする事により、穿孔位置精度を向上させる。【解決手段】画像形成装置Ａから排出された用紙Ｓの所定位置に穿孔手段４０により穿孔処理を行う後処理装置ＦＳにおいて、穿孔手段４０の用紙搬送方向上流側に配置した用紙後端検知用のセンサＰＳ２と、穿孔手段４０の用紙搬送方向下流側に配置した搬送ローラ１２Ａ，１２Ｂと、用紙搬送手段により搬送される用紙Ｓの後端部を押圧して用紙Ｓの曲がりを修正する用紙後端押出部材部材４５と、センサＰＳ２による用紙後端検知により用紙後端押出部材４５の駆動と搬送ローラ１２Ａ，１２Ｂの駆動とを制御する制御手段と、を有する。【選択図】        図７
2004331299.tif 000002
【特許請求の範囲】
【請求項１】
画像形成装置から排出された用紙の所定位置に穿孔手段により穿孔処理を行う用紙後処理装置において、
前記穿孔手段の用紙搬送方向上流側に配置した用紙後端検知用のセンサと、
前記穿孔手段の用紙搬送方向下流側に配置した用紙搬送手段と、
前記用紙搬送手段により搬送される用紙の後端部を押圧して用紙の曲がりを修正する用紙後端押出部材と、
前記センサによる用紙後端検知により前記用紙後端押出部材の駆動と前記用紙搬送手段の駆動とを制御する制御手段と、
を有することを特徴とする用紙後処理装置。
【請求項２】
前記用紙後端押出部材は、駆動源に接続され、前記用紙搬送手段の用紙搬送路を通紙及び遮断可能にすることを特徴とする請求項１に記載の用紙後処理装置。
【請求項３】
前記用紙後端押出部材は、前記用紙搬送手段を通紙可能にした状態において、前記用紙の後端部を押圧して用紙の曲がりを修正することを特徴とする請求項１又は２に記載の用紙後処理装置。
【請求項４】
前記用紙搬送手段による用紙圧接を解除する離間手段を有し、前記離間手段により用紙圧接を解除した状態において、前記用紙後端押出部材による前記用紙の曲がり修正後、前記用紙後端押出部材で前記用紙の後端部を押圧した状態を保持し、前記用紙搬送手段により前記用紙を挟持し、前記穿孔手段による穿孔処理を行うことを特徴とする請求項１〜３の何れか１項に記載の用紙後処理装置。
【請求項５】
画像形成装置から排出された用紙の所定位置に穿孔手段により穿孔処理を行う用紙後処理方法において、
前記穿孔手段に搬送された前記用紙を、穿孔処理を行う直前の位置において用紙搬送を一時停止させ、
前記用紙の搬送方向後端部に配置された用紙後端押出部材により前記用紙の後端部を押し出して移動させ用紙曲がりを修正した後、
穿孔処理規定位置において穿孔処理を行うことを特徴とする用紙後処理方法。
【請求項６】
画像書き込み手段、画像形成手段、用紙搬送手段、定着装置から成る画像形成装置と、請求項１〜４の何れか１項に記載の用紙後端検知用のセンサ、用紙搬送手段、用紙後端押出部材、穿孔手段、制御手段から成る用紙後処理装置とを備えて成ることを特徴とする画像形成システム。
【発明の詳細な説明】
【０００１】
【発明の属する技術分野】
本発明は、電子写真複写機、プリンタ、ファクシミリ、及びこれらの諸機能を有する複合機等の画像形成装置により画像が記録された用紙に対して、穿孔処理等の後処理を実施する用紙後処理装置、用紙後処理方法、及び用紙後処理装置を備えた画像形成システムに関するものである。
【０００２】
【従来の技術】
近年、複写機、プリンタ、これらの複合機等の画像形成装置により画像が形成された画像記録用紙に対して、穿孔処理、綴じ処理、折り処理等を行う後処理装置が提供されている。
【０００３】
特許文献１に記載されている用紙処理装置は、カバー用の用紙を給送するカバーフィーダからパンチユニットに送られる用紙搬送路に空間部を設けたものである。用紙の先端部がレジストローラのニップ位置に突き当たって停止したとき、用紙はこの空間部で撓んでスキュー修正が行われる。
【０００４】
特許文献２に記載されているシート収容装置は、シートの後端部がレジストローラ対を通過する直前に電磁クラッチをオンして、用紙搬送下流側のローラ対の加点を停止させる。シートは後端部がレジストローラ対で搬送され、湾曲部が形成され、用紙後端がレジストローラ対でレジストされる。このときパンチ機構が動作し、シートにパンチ孔を形成する。
【０００５】
【特許文献１】
特開２００２−２７４６９９号公報
【０００６】
【特許文献２】
特開平７−２１５５７１号公報
【０００７】
【発明が解決しようとする課題】
従来の穿孔処理を行う用紙後処理装置においては、以下の課題がある。
【０００８】
画像形成装置から排出される各種サイズの用紙が、用紙後処理装置に導入されて穿孔処理されるとき、用紙曲がりや位置ずれは、特許文献１のように用紙搬送方向下流側のローラ対への当接によって矯正していた。
【０００９】
又は、特許文献２のように、用紙先端部をローラでニップした状態で保持し、用紙を弛ませた状態で用紙後端側のレジストローラ対が抜けたところで、この弛みをレジストローラ対に押し当てて矯正する装置があったが、大きな用紙曲がりでは矯正しきれず、ローラにぶつけて矯正するため、用紙がつぶれて、皺を発生することがある。
【００１０】
このとき、用紙をぶつけるローラと用紙を送り込むローラとの周速度差で用紙をぶつけて矯正するケースでは、周速度の速いローラ側で、ローラが滑り、用紙を汚してしまう問題がある。
【００１１】
また、穿孔処理した複数の用紙を整合して綴じ処理して冊子を作製する場合には、各用紙の穿孔位置を正確に揃える必要がある。
【００１２】
【課題を解決するための手段】
上記課題は、本発明の用紙後処理装置、用紙後処理方法、及び画像形成装置により解決される。
【００１３】
（１）  画像形成装置から排出された用紙の所定位置に穿孔手段により穿孔処理を行う用紙後処理装置において、前記穿孔手段の用紙搬送方向上流側に配置した用紙後端検知用のセンサと、前記穿孔手段の用紙搬送方向下流側に配置した用紙搬送手段と、前記用紙搬送手段により搬送される用紙の後端部を押圧して用紙の曲がりを修正する用紙後端押出部材と、前記センサによる用紙後端検知により前記用紙後端押出部材の駆動と前記用紙搬送手段の駆動とを制御する制御手段と、を有することを特徴とする用紙後処理装置。
【００１４】
（２）  画像形成装置から排出された用紙の所定位置に穿孔手段により穿孔処理を行う用紙後処理方法において、前記穿孔手段に搬送された前記用紙を、穿孔処理を行う直前の位置において用紙搬送を一時停止させ、前記用紙の搬送方向後端部に配置された用紙後端押出部材により前記用紙の後端部を押し出して移動させ用紙曲がりを修正した後、穿孔処理規定位置において穿孔処理を行うことを特徴とする用紙後処理方法。
【００１５】
（３）  画像書き込み手段、画像形成手段、用紙搬送手段、定着装置から成る画像形成装置と、（１）に記載の用紙後端検知用のセンサ、用紙搬送手段、用紙後端押出部材、穿孔手段、制御手段から成る用紙後処理装置とを備えて成ることを特徴とする画像形成システム。
【００１６】
【発明の実施の形態】
次に、本発明の用紙後処理装置、用紙後処理方法、及び用紙後処理装置を備えた画像形成装置を図面に基づいて説明する。
【００１７】
［画像形成装置の一実施形態］
図１は画像形成装置Ａ、画像読み取り装置Ｂ、用紙後処理装置（以下、後処理装置と称す）ＦＳから成る画像形成システムの全体構成図である。
【００１８】
画像形成装置Ａは、回転する像担持体１の周囲に、帯電手段２、像露光手段（書き込み手段）３、現像手段４、転写手段５Ａ、除電手段５Ｂ、分離爪５Ｃ、及びクリーニング手段６を配置した画像形成部を有し、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１９】
一方、用紙収納手段７Ａから給紙された用紙Ｓは転写位置へと送られる。転写位置において転写手段５Ａによりトナー像が用紙Ｓ上に転写される。その後に、用紙Ｓは除電手段５Ｂにより裏面の電荷が消去され、分離爪５Ｃにより像担持体１から分離され、中間搬送部７Ｂにより搬送され、引き続き定着手段８により加熱定着され、搬送路切り替え板７Ｄにより下方の反転搬送路７Ｅに一旦搬送された後、逆転搬送されて画像面を下向きにして排紙部７Ｃから排出される。
【００２０】
用紙Ｓの両面に画像形成を行う場合には、定着手段８により加熱定着された用紙Ｓを、搬送路切り替え板７Ｄにより通常の排紙通路から分岐し、反転搬送路７Ｅにおいてスイッチバックして表裏反転した後、両面コピー搬送路７Ｆを経て給紙経路に導入される。用紙Ｓは画像形成部において画像を転写された後、定着装置８により定着処理されて、排紙部７Ｃにより装置外に排出される。排紙部７Ｃから排出された用紙Ｓは、後処理装置ＦＳの受入部１０に送り込まれる。
【００２１】
一方、像担持体１の画像処理後の表面は、分離爪５Ｃの下流においてクリーニング手段６により表面に残留している現像剤が除去される。
【００２２】
画像形成装置Ａの上部前面側には、画像形成モード、用紙後処理モードを選択して設定する操作部９が配置されている。画像形成装置Ａの上部には、原稿移動型読み取り方式の自動原稿送り装置を備えた画像読み取り装置Ｂが設置されている。
【００２３】
［後処理装置］
図２は、本発明に係る後処理装置ＦＳ内における用紙Ｓの搬送経路を示す全体構成図である。
【００２４】
後処理装置ＦＳには、図示の上段に第１給紙手段２０Ａと第２給紙手段２０Ｂと固定排紙台３０が配置され、中段に穿孔手段４０とシフト手段５０と排紙手段６０がほぼ水平をなす同一平面上に直列配置され、下段に綴じ処理部７０と折り処理部８０が傾斜面をなす同一平面上に直列配置されている。
【００２５】
また、後処理装置ＦＳの図示左側面には、シフト処理済みの用紙Ｓ及び平綴じ処理済みの用紙束Ｓａを積載する昇降排紙台６１と、三つ折り又は二つ折りに折り畳み処理された処理済み用紙束Ｓｂを積載する固定排紙台６２とが配置されている。
【００２６】
〈受入部〉
受入部１０には、画像形成装置Ａから画像形成処理された用紙Ｓと、第１給紙手段２０Ａから供給される用紙束間を仕切る合紙Ｋ１と、第２給紙手段２０Ｂから供給される表紙用紙Ｋ２とが導入される。
【００２７】
〈第１給紙手段、第２給紙手段〉
第１給紙手段２０Ａの給紙皿内に収容された合紙Ｋ１は、給紙部２１により分離、給送され、搬送ローラ２２，２３，２４に挟持されて、受入部１０に導入される。また、第２給紙手段２０Ｂの給紙皿内に収容された表紙用紙Ｋ２は、給紙部２５により分離、給送され、搬送ローラ２３，２４に挟持されて、受入部１０に導入される。
【００２８】
なお、第１給紙手段２０Ａ、第２給紙手段２０Ｂには、合紙Ｋ１、表紙用紙Ｋ２以外の用紙を装填する事もある。以下、合紙Ｋ１、表紙用紙Ｋ２を含めて用紙Ｓと称す。
【００２９】
〈穿孔手段〉
受入部１０の用紙搬送方向下流側には、穿孔手段４０が配置されている。穿孔手段４０は、パンチ昇降駆動手段、用紙後端検知手段等から成る。穿孔手段４０の構成及び駆動は、図４において詳述する。
【００３０】
穿孔手段４０による穿孔位置の用紙搬送方向上流側にはレジストローラ１１が、用紙搬送方向下流側には搬送ローラ１２が、それぞれ配置されている。
【００３１】
図３は、穿孔手段４０により穿孔処理された用紙Ｓの各種例を示す平面図である。図３（ａ）は用紙Ｓの端面ａ近傍の２箇所に孔ｈを穿孔した例（２孔ファイル）を示す。図３（ｂ）は４箇所に孔ｈを穿孔した例（４孔ファイル）を示す。
【００３２】
これらの複数の孔ｈの間隔は規格化されている。また、用紙Ｓの端面ａから孔ｈまでの穿孔端面距離ｂは、任意に設定できるが、一般には、９〜１１ｍｍである。
【００３３】
〈用紙分岐手段〉
図２に示すように、穿孔手段４０の用紙搬送方向下流側には、切り換え手段Ｇ１，Ｇ２から成る用紙分岐手段が設けられている。切り換え手段Ｇ１，Ｇ２は図示しないソレノイドの駆動により三方の用紙搬送路、即ち、上段排紙用の第１搬送路▲１▼、中段の第２搬送路▲２▼、下段の第３搬送路▲３▼の何れかに選択的に分岐させる。
【００３４】
〈単純排紙〉
この用紙搬送が設定されると、切り換え手段Ｇ１は第２搬送路▲２▼、第３搬送路▲３▼を遮断し、第１搬送路▲１▼のみを開放する。
【００３５】
穿孔手段４０を通過し、第１搬送路▲１▼を通過する用紙Ｓは、搬送ローラ３１に挟持されて上昇し、排出ローラ３２により排出され、固定排紙台３０上に載置され、順次積載される。
【００３６】
〈シフト処理〉
この搬送モードに設定されると、切り換え手段Ｇ１は上方に退避し、切り換え手段Ｇ２は第３搬送路▲３▼を遮断し、第２搬送路▲２▼を開放し用紙Ｓの通過を可能にする。用紙Ｓは切り換え手段Ｇ１，Ｇ２の間に形成された通紙路を通過する。
【００３７】
画像形成装置Ａより排出された画像形成済みの用紙Ｓ、又は、第１給紙手段２０Ａから給送された用紙Ｓ、或いは、第２給紙手段２０Ｂから給送された用紙Ｓは、穿孔手段４０を通過し、切り換え手段Ｇ１，Ｇ２の中間通紙路を通過して、シフト手段５０により用紙搬送方向に直交する方向に所定量移動されるようにシフト処理され、排紙手段６０により排紙される。
【００３８】
〈昇降排紙台への排紙〉
シフト手段５０を通過した用紙Ｓは、排紙手段６０により機外の昇降排紙台６１に排出され順次載置される。この昇降排紙台６１は多数枚の用紙Ｓを排紙するときには、順次下降するように構成されている。
【００３９】
〈平綴じ処理〉
操作部９において綴じ処理が設定されると、画像形成装置Ａ内で画像形成処理されて、後処理装置ＦＳの受入部１０に送り込まれた画像形成済みの用紙Ｓは、穿孔手段４０を通過し、切り換え手段Ｇ２の下方の第３搬送路▲３▼に送り込まれ、搬送ローラ１３に挟持されて下方に搬送される。
【００４０】
第３搬送路▲３▼において、用紙Ｓは、搬送ローラ１４により搬送され、用紙先端部が入口搬送ローラ対１５の周面に当接して停止され、待機状態になる。所定のタイミングをとって、入口搬送ローラ対１５が駆動回転し、用紙Ｓを挟持して搬送し、用紙載置台７１上に排出する。
【００４１】
用紙Ｓの後端部が入口搬送ローラ対１５の挟持位置から排出された後には、用紙Ｓはその自重により用紙載置台７１の傾斜面上を下降し、回動する巻き込みベルト１６に摺接して、用紙後端部が綴じ手段７７近傍に設けた突き当て部材７２に当接して停止する。
【００４２】
この停止位置において、幅整合手段７３によって幅揃えが行われる。用紙載置台７１上に所定枚数の用紙Ｓが積載、整合されると、綴じ手段７７により綴じ合わせ処理が行われ、用紙束Ｓａが綴じ合わされる。
【００４３】
綴じ処理された用紙束Ｓａは、排出ベルト７５の排出爪７６により用紙Ｓの後端部が押圧されて、排出ベルト７５上に載せられ、用紙載置台７１の載置面上を滑走して斜め上方に押し上げられ、排紙手段６０の排出ローラ６３に挟持されて昇降排紙台６１上に排出される。
【００４４】
〈中綴じ処理〉
操作部９において中綴じ処理が設定されると、綴じ処理部７０の綴じ手段７７により、整合された用紙束Ｓａの搬送方向中央２箇所に綴じ針を打つ。
【００４５】
〈折り処理〉
折り処理部８０は、折り板８１、折りローラ８２，８３，８４、搬送切り換え部材８５、突き当て部材８６等から成り、用紙束Ｓａに二つ折り処理、三つ折り処理を実施する。
【００４６】
［穿孔手段の駆動］
図４は、穿孔手段４０の正面断面図である。
【００４７】
穿孔手段４０の入口部にはレジストローラ１１が、出口部には搬送ローラ１２がそれぞれ配置されている。
【００４８】
画像形成装置Ａから排出される用紙Ｓ、後処理装置ＦＳの第１給紙手段２０Ａ又は第２給紙手段２０Ｂから給送される用紙Ｓの先端部は、回転停止状態のレジストローラ１１に当接する。（図２参照）。
【００４９】
その後、レジストローラ１１、搬送ローラ１２は図示しない駆動手段により駆動回転され、用紙Ｓがレジストローラ１１、搬送ローラ１２により挟持されて搬送される。用紙Ｓの後端部が光透過型の用紙後端検知センサＰＳ２によって検知されたのち、所定時間経過後、レジストローラ１１、搬送ローラ１２の駆動回転が停止され、用紙Ｓは用紙搬送方向の所定位置で停止する。
【００５０】
この停止位置において、用紙後端押出部材４５が用紙搬送路上の用紙Ｓの後端部を押圧して用紙曲がりを修正する。その後、モータＭ１の駆動によって円盤４３が回転し、円盤４３の偏芯位置に一端が揺動可能に支持されたクランク４４が偏芯回転し、可動パンチ４１が下降して固定ダイ４２に嵌合し、用紙Ｓに穿孔処理を行う。
【００５１】
図５は穿孔手段４０の制御を示すブロック図である。
画像形成装置本体制御手段１００の通信手段１０１と、後処理装置制御手段２００の通信手段２０１とは電気的に接続され、制御信号の授受が相互に行われる。
【００５２】
画像形成装置Ａの操作部９において穿孔処理が設定されると、画像形成装置本体制御手段１００はこの設定により、通信手段１０１，２０１を介して後処理装置制御手段２００に制御信号を伝達する。後処理装置制御手段２００は、設定された信号と用紙後端検知信号に基づき用紙搬送、用紙後端整列、搬送ローラ圧着解除、穿孔手段駆動等の制御を行い、穿孔処理を実行させる。
【００５３】
［穿孔処理工程］
本発明に係る穿孔手段４０による穿孔処理工程を、図６、図７に示す模式図、及び図８に示すフローチャートに基づて説明する。
【００５４】
〈ステップ１〉  画像形成装置Ａの操作部９において穿孔処理モードが設定され、排出ローラ６３による用紙Ｓの先端部通過が、排紙検知センサＰＳ１によって検知され、後処理装置ＦＳに導入されると、用紙Ｓに対する穿孔処理モード（パンチモード）が開始される。
【００５５】
穿孔手段４０の搬送方向上流側には、レジストローラ１１、用紙後端検知センサＰＳ２と、用紙後端押出部材４５及び用紙後端押出部材駆動用モータＭ３が配置されている。
【００５６】
穿孔手段４０の搬送方向下流側には、搬送ローラ１２Ａ，１２Ｂ、搬送ローラ１２Ａ，１２Ｂを駆動回転させる用紙搬送用のモータＭ３、ソレノイド（離間手段）ＳＯＬ１によって駆動され搬送ローラ１２Ａに接離可能に支持された従動ローラ１２Ａ１、ソレノイド（離間手段）ＳＯＬ２によって駆動され搬送ローラ１２Ｂに接離可能に支持された従動ローラ１２Ｂ１が配置されている（図２、図６（ａ）参照）。
【００５７】
〈ステップ２〉  排紙検知センサＰＳ１による用紙先端通過後所定時間経過後、又は、用紙後端検知センサＰＳ２による用紙先端通過検知後、モータＭ３が駆動開始し、搬送ローラ１２Ａ，１２Ｂが駆動回転される。
【００５８】
後処理装置ＦＳに導入される用紙Ｓは、レジストローラ１１によって挟持搬送され、搬送路下方に待避している用紙後端押出部材４５の上方を通過し、搬送ローラ１２Ａ，１２Ｂによって挟持搬送される（図６（ｂ）参照）。
【００５９】
〈ステップ３〉  用紙後端検知センサＰＳ２が搬送される用紙Ｓの後端部を検知すると、モータＭ３の駆動を停止し、搬送ローラ１２Ａ，１２Ｂの回転が停止される（図６（ｃ）参照）。
【００６０】
〈ステップ４〉  ソレノイドＳＯＬ１，ＳＯＬ２の駆動により、従動ローラ１２Ａ１，１２Ｂ１の圧接が解除され、搬送ローラ１２Ａ，１２Ｂの各外周面から離間する。その後、モータＭ２の駆動開始により、用紙後端押出部材４５が起立しながら用紙搬送路を遮断し、用紙Ｓの後端部を押圧して、穿孔手段４０の穿孔処理位置へ移動させる。この用紙移動によって用紙Ｓの曲がりが修正されていく（図６（ｄ）参照）。
【００６１】
〈ステップ５〉  用紙後端押出部材４５が更に移動して、ほぼ直立位置に達して停止する。用紙後端押出部材４５はこの移動過程で用紙Ｓの後端部を押圧して用紙Ｓの曲がりを修正して所定の位置（穿孔処理時の用紙後端停止位置）に停止させる。用紙Ｓの停止後に、ソレノイドＳＯＬ１，ＳＯＬ２の駆動が解除され、従動ローラ１２Ａ１，１２Ｂ１が搬送ローラ１２Ａ，１２Ｂの各外周面に圧接して用紙Ｓを挟持する（図７（ａ）参照）。
【００６２】
〈ステップ６〉  穿孔手段４０のモータＭ１の駆動開始により、可動パンチ４１が下降して、固定ダイ４２に嵌合し、用紙Ｓに穿孔処理を行う（図７（ｂ）参照）。
【００６３】
〈ステップ７〉  穿孔処理の終了後、モータＭ３の駆動開始により、搬送ローラ１２Ａ，１２Ｂが駆動回転され、用紙Ｓを挟持して搬送し、下流側の次工程に送る。モータＭ２の駆動により、用紙後端押出部材４５が移動して、用紙搬送路の下方に待避し、後続の用紙Ｓの通過を可能にする。
【００６４】
図９は、用紙曲がり修正を示す平面図である。
図９（ａ）は用紙曲がりの有る用紙Ｓの停止状態を示す。図９（ｂ）は用紙後端押出部材４５の起立によって端面ａが押圧され、用紙曲がりが修正されて停止した状態の用紙Ｓを示す。この停止状態において穿孔処理が行われ、孔ｈが穿孔される。
【００６５】
なお、用紙Ｓがループを形成する空間を作り、搬送ローラ１２Ａ，１２Ｂの圧接を解除せずに後端レジストにより用紙揃えを行う事も可能である。
【００６６】
本発明の実施の形態では、複写機に接続した後処理装置について説明したが、プリンタ、複合機、軽印刷機等の画像形成装置に接続して使用する後処理装置にも適用可能である。
【００６７】
【発明の効果】
以上の説明から明らかなように、本発明の後処理装置、用紙後処理方法及び画像形成システムにより、以下の効果が奏せられる。
【００６８】
（１）  穿孔処理前に用紙後端押出部材により用紙後端部を押圧して用紙曲がりを修正した直後に、用紙後端部近傍に穿孔処理をする事により、穿孔位置精度を向上させる事が出来る。
【００６９】
（２）  穿孔処理前に搬送ローラ対の圧接を解除し用紙を平坦状にして用紙後端部を用紙後端押出部材により用紙曲がりを修正する事により、用紙の変形がなく、皺を発生することがない。
【００７０】
（３）  レジストローラに用紙先端部を突き当てて用紙弛みを形成させる従来の用紙曲がり修正方法に比して、本発明の後処理装置は、用紙搬送路を短縮し、装置を小型化する事が出来る。
【００７１】
（４）  複写機、プリンタ等の画像形成装置に接続される後処理装置は、画像形成装置により所望のデジタル処理が行われ、定着処理後、排出される用紙が用紙曲がりが有る場合でも、本発明の後処理装置及び後処理方法により、用紙曲がりが修正され、穿孔処理後に綴じ処理が行われる場合、各用紙の穿孔位置が均一な高品質の冊子が得られる。
【図面の簡単な説明】
【図１】画像形成装置、画像読み取り装置、後処理装置から成る画像形成システムの全体構成図。
【図２】本発明に係る後処理装置内における用紙の搬送経路を示す全体構成図。
【図３】穿孔手段により穿孔処理された用紙の各種例を示す平面図。
【図４】穿孔手段の正面断面図。
【図５】穿孔手段の制御を示すブロック図。
【図６】穿孔処理工程を示す模式図。
【図７】穿孔処理工程を示す模式図。
【図８】穿孔処理工程を示すフローチャート。
【図９】用紙曲がり修正を示す平面図。
【符号の説明】
７Ｃ  排紙部
９  操作部
１０  受入部
１１  レジストローラ
１２，１２Ａ，１２Ｂ，１３，１４  搬送ローラ
１２Ａ１，１２Ｂ１  従動ローラ
４０  穿孔手段
４１  可動パンチ
４２  固定ダイ
４５  用紙後端押出部材
１００  画像形成装置本体制御手段
２００  後処理装置制御手段
Ａ  画像形成装置
ＦＳ  用紙後処理装置（後処理装置）
Ｍ１，Ｍ２，Ｍ３  モータ
ＰＳ１  排紙検知センサ
ＰＳ２  用紙後端検知センサ
Ｓ  用紙
ＳＯＬ１，ＳＯＬ２  ソレノイド（離間手段）
ｈ  孔
【図１】
2004331299.tif 000003
【図２】
2004331299.tif 000004
【図３】
2004331299.tif 000005
【図４】
2004331299.tif 000006
【図５】
2004331299.tif 000007
【図６】
2004331299.tif 000008
【図７】
2004331299.tif 000009
【図８】
2004331299.tif 000010
【図９】
2004331299.tif 000011